(57)【要約】【課題】 個人情報などのプリント出力処理を行う前段階で、印刷画像の品質検査を行ない不良印刷物を用いたプリント出力処理が行われることを防止する印刷物、印刷物の品質管理方法およびその品質管理システムを提供する。【解決手段】  印刷物に表示されている二次元コードに、印刷する際に使用する画像デジタルデータから算出して得たチェックサム値が含まれている。また、印刷する際に使用する画像デジタルデータのチェックサムを算出し、前記チェックサム値を二次元コードにして印刷物に表示し、印刷物にプリント出力する前段階で、印刷物に表示されている二次元コードからチェックサム値を読み取り、印刷画像から画像データを読み取り、画像データをデジタルデータに変換した後に、そのデジタルデータのチェックサムを算出し、算出したチェックサム値と、二次元コードのチェックサム値とを比較判定し一致した場合にだけ印刷物にプリント出力する。【選択図】        図1
2007044895.tif 000002
【特許請求の範囲】
【請求項１】
二次元コードが表示されている印刷物であって、
前記二次元コードに、前記印刷物を印刷する際に使用する画像デジタルデータから算出して得たチェックサム値が含まれていることを特徴とする印刷物。
【請求項２】
印刷画像が不良な印刷物である場合にはプリント出力を行わないようにして、プリント印刷物の品質管理を図ることができるようにした印刷物の品質管理方法であって、
印刷物を印刷する際に使用する画像デジタルデータのチェックサムを算出するステップと、
前記チェックサム値を二次元コードにして、前記印刷物に表示するステップと、
前記印刷物にプリント出力する前段階で、前記印刷物に表示されている二次元コードから前記チェックサム値を読み取るステップと、
前記印刷物の印刷画像から画像データを読み取るステップと、
前記画像データをデジタルデータに変換した後に、そのデジタルデータのチェックサムを算出するステップと、
前記算出したチェックサム値と、前記二次元コードから読み取ったチェックサム値とを比較判定するステップと、
前記比較判定の結果、一致した場合にだけ、前記印刷物にプリント出力するステップと、からなることを特徴とする印刷物の品質管理方法。
【請求項３】
印刷画像が不良な印刷物である場合にはプリント出力を行わないようにして、プリント印刷物の品質管理を図ることができるようにした印刷物の品質管理システムであって、
印刷物を印刷する際に使用する画像デジタルデータのチェックサムを算出する手段と、  前記チェックサム値を二次元コードにして、前記印刷物に表示する手段と、前記印刷物にプリント出力する前段階で、前記印刷物に表示されている二次元コードから前記チェックサム値を読み取る手段と、前記印刷物の印刷画像から画像データを読み取る手段と、前記画像データをデジタルデータに変換した後に、そのデジタルデータのチェックサムを算出する手段と、前記算出したチェックサム値と、前記二次元コードから読み取ったチェックサム値とを比較判定する手段と、前記比較判定の結果、一致した場合にだけ、前記印刷物にプリント出力する手段と、からなることを特徴とする印刷物の品質管理システム。
【発明の詳細な説明】
【技術分野】
【０００１】
本発明は、印刷画像が不良な印刷物である場合にはプリント出力を行わないようにして、プリント印刷物の品質管理を図ることができるようにした印刷物、印刷物の品質管理方法およびその品質管理システムに関する。
【背景技術】
【０００２】
従来、印刷物に印刷された絵柄などの画像の良否を検査する場合に、検査員が目視により確認作業を行ったり、また、予めメモリに記憶させておいた基準画像データと、被検査印刷物から読み取った画像データとを機械的に比較して判定を行う場合などが知られている。
このような画像データに基づく検査では、判定の基準としてデジタルの画像を用いて、検査対象となる印刷物の画像と画素単位で比較して良否判定を行っている。（例えば、特許文献１参照）
【特許文献１】特許第３３７４２８９号公報
【０００３】
しかしながら、画像データにより機械的に比較して判定を行う場合には、画像そのものを処理して画像データを比較するために、比較処理により検査を行う際に時間がかかりすぎるという問題がある。
特に、大量の印刷物を短時間で仕上げる必要がある場合には、検査スピードが遅いことが、印刷物の生産工程管理上の支障になり、短期間での納入を希望する顧客の要求に応えられないという問題がある。
【０００４】
また、特にダイレクトメールや請求書などの郵送用の印刷物を作成する場合には、予め種々の絵柄画像を印刷しておいた印刷物を用意しておき、顧客情報などに基づいて個別の情報をその印刷物にプリント出力処理して情報を印字して郵送物を作成し、郵送する方法が行われている。
これらの個人情報をプリント処理する印刷物は、顧客向けに郵送されるので、印刷画像が不良である場合には、顧客に対して発送側の企業イメージを低下させるなどの悪影響がある。
したがって、印刷物の印刷画像が不良の場合には、個人情報などをプリントする前にこれを発見して、不良印刷物に対してプリント出力を行わないようにする必要があるが、短時間で効率的に不良印刷物を見つけることができないという問題がある。
【発明の開示】
【発明が解決しようとする課題】
【０００５】
そこで、本発明は、個人情報などのプリント出力処理を行う前の段階で、短時間で効率的に印刷物の印刷画像に対する品質検査を行うことができるようにして、不良印刷物を用いたプリント出力処理が行われることを防止するための印刷物、印刷物の品質管理方法およびその品質管理システムを提供する。
【課題を解決するための手段】
【０００６】
本発明の印刷物は、二次元コードが表示されている印刷物であって、前記二次元コードに、前記印刷物を印刷する際に使用する画像デジタルデータから算出して得たチェックサム値が含まれていることを特徴とする。
【０００７】
本発明の印刷物の品質管理方法は、印刷画像が不良な印刷物である場合にはプリント出力を行わないようにして、プリント印刷物の品質管理を図ることができるようにした印刷物の品質管理方法であって、印刷物を印刷する際に使用する画像デジタルデータのチェックサムを算出するステップと、前記チェックサム値を二次元コードにして、前記印刷物に表示するステップと、前記印刷物にプリント出力する前段階で、前記印刷物に表示されている二次元コードから前記チェックサム値を読み取るステップと、前記印刷物の印刷画像から画像データを読み取るステップと、前記画像データをデジタルデータに変換した後に、そのデジタルデータのチェックサムを算出するステップと、前記算出したチェックサム値と、前記二次元コードから読み取ったチェックサム値とを比較判定するステップと、  前記比較判定の結果、一致した場合にだけ、前記印刷物にプリント出力するステップと、からなることを特徴とする。
【０００８】
本発明の印刷物の品質管理システムは、印刷画像が不良な印刷物である場合にはプリント出力を行わないようにして、プリント印刷物の品質管理を図ることができるようにした印刷物の品質管理システムであって、印刷物を印刷する際に使用する画像デジタルデータのチェックサムを算出する手段と、  前記チェックサム値を二次元コードにして、前記印刷物に表示する手段と、前記印刷物にプリント出力する前段階で、前記印刷物に表示されている二次元コードから前記チェックサム値を読み取る手段と、前記印刷物の印刷画像から画像データを読み取る手段と、前記画像データをデジタルデータに変換した後に、そのデジタルデータのチェックサムを算出する手段と、前記算出したチェックサム値と、前記二次元コードから読み取ったチェックサム値とを比較判定する手段と、前記比較判定の結果、一致した場合にだけ、前記印刷物にプリント出力する手段と、からなることを特徴とする。
【発明の効果】
【０００９】
本発明の印刷物は、印刷物を印刷する際に使用する画像デジタルデータから算出して得たチェックサム値が含まれている二次元コードが表示されているので、印刷物の印刷画像の品質を検査する際に、二次元コードから読み取ったチェックサム値と、実物の印刷物の印刷画像から読み取ったデータに基づいて算出したチェックサムとを比較するだけで、短時間で効率的に印刷物の印刷画像に対する品質検査を行うことができるという効果がある。
【００１０】
また、本発明の印刷物の品質管理方法は、印刷物にプリント出力する前段階で、印刷物を印刷する際に使用する画像デジタルデータから算出して得たチェックサム値と、実物の印刷物の印刷画像から読み取ったデータに基づいて算出したチェックサムとを比較することで、短時間で効率的に印刷物の印刷画像に対する品質検査を行うことができるという効果がある。
【００１１】
更に、本発明の印刷物の品質管理システムは、印刷物にプリント出力する前段階で、印刷物を印刷する際に使用する画像デジタルデータから算出して得たチェックサム値と、実物の印刷物の印刷画像から読み取ったデータに基づいて算出したチェックサムとを比較することで、短時間で効率的に印刷物の印刷画像に対する品質検査を行うことができるという効果がある。
【発明を実施するための最良の形態】
【００１２】
以下、本発明の実施形態に係る印刷物、印刷物の品質管理方法およびその品質管理システムについて、図面に基づいて詳細に説明する。
図１は、本発明の実施形態に係る印刷物の品質管理方法に関し、印刷物に二次元コードを表示させる状態を示す図、図２は、本発明の実施形態に係る印刷物の品質管理方法に関し、印刷物にプリント出力する前に印刷画像に対する品質検査を行う状態を示す図、図３は、二次元コードプリント装置のシステムブロック図、図４は、品質検査装置のシステムブロック図、図５は、本発明の実施形態に係る印刷物の品質管理システムに関する処理手順を示すフローチャート図である。
【００１３】
この印刷物１に印刷されている印刷画像３は、予め作成された画像デジタルデータに基づいて印刷され、この画像デジタルデータはデータベースに登録されている。
まず、本発明では、図１に示すように印刷物１に対して二次元コードプリント装置４を用いて、二次元コード５をプリント出力する。
この二次元コード５は、印刷物を印刷する際に使用した画像デジタルデータから算出したチェックサム値が含まれていて、印刷物１に印刷された印刷画像３から読み取った画像データから算出したチェックサム値と比較することで、その印刷画像３が不良であるか否かの判定を行なえるようにしてある。
【００１４】
二次元コードプリント装置４は、図３に示すように、印刷物１に画像を印刷する際に使用した画像デジタルデータを登録させた画像デジタルデータベース６と、画像デジタルデータからチェックサムを算出するチェックサム演算部７と、チェックサム演算部７で算出したチェックサム値を二次元コードとして印刷物１の所定位置にプリントする二次元コードプリント部７と、制御部８などが備えられている。
【００１５】
二次元コードプリント装置４は、印刷物１に画像を印刷する際に使用した画像デジタルデータに基づいて、チェックサム値を算出し、そのチェックサム値を二次元コードとして二次元コードリーダで機械読み取り可能な状態で印刷物１にプリントして表示させことができ、連続用紙に切り取り用ミシン２で区画された複数の印刷画像３が、それぞれ異なる画像データを使用した異なる印刷画像であっても、それぞれの印刷画像３に使用した画像データから算出されたチェックサム値を、二次元コードとしてそれぞれの印刷画像３と共に表示させることができるように構成されている。
【００１６】
次に、図２に基づいて、印刷物１にプリント出力する際における印刷画像３に対する品質検査を行う場合について説明する。
図１に示すように、二次元コードが表示された印刷物１は、次の工程において、印刷物１を郵送する宛先である顧客に応じた個人情報などをプリンタで印字することで、郵送可能な状態に仕上げることになる。
図２には、ロール状の二次元コードが表示された印刷物１を搬送させて、種々の処理が行われる状態が示されている。
【００１７】
プリンタ１０により、搬送される印刷物１に対して、印刷物１を郵送する宛先である顧客に応じた個人情報や伝達情報などの必要な情報がプリント出力されて印字される。
また、このプリンタ１０により、印刷物１にプリント出力処理が行われる前段階となる位置に、印刷物に表示されている二次元コード５を読み取る二次元コードリーダ１１と、印刷物１の印刷画像３から画像データを読み取ることができる画像リーダ１２とが備えられている。
画像リーダ１２は、印刷物に表示されている二次元コード５を除く、印刷画像の部分を読み取る。
そして、プリンタ１０と、二次元コードリーダ１１と、画像リーダ１２とは、印刷物の品質が検査する品質検査装置１３と接続されている。
【００１８】
品質検査装置１３は、図４に示すように、デジタルデータ変換部１４、チェックサム演算部１５、判定部１６、プリンタ制御部１７、記憶部１８、制御部１９、インターフェース（Ｉ/Ｆ）２０，２１，２２などが備えられ、インターフェース（Ｉ/Ｆ）２０，２１，２２を介して、それぞれ二次元コードリーダ１１と、画像リーダ１２と、プリンタ１０とに接続されている。
【００１９】
品質検査装置１３は、二次元コードリーダ１１で読み取った二次元コード５に含まれているチェックサム値を記憶部１８に一旦記憶させる。
また、デジタルデータ変換部１４は、画像リーダ１２で読み取った画像データをデジタルデータに変換する機能を有している。
更に、チェックサム演算部１５は、デジタルデータ変換部１４で変換された画像データのデジタルデータからチェックサムを算出する機能を有している。
また、判定部１５は、記憶部１８に一旦記憶させたチェックサム値と、チェックサム演算部１５で算出させたチェックサム値とを比較して、一致するか否かを判定する機能を有している。
【００２０】
また、プリンタ制御部１７は、判定部１５による判定でチェックサム値が不一致となった場合に、プリンタ１０による印刷物１へのプリント出力処理を停止させる機能を有している。
尚、プリンタ１０のプリント出力処理を停止すると同時に、印刷物１の搬送も停止させる。
これにより、印刷物１の印刷画像が不良品であった場合には、その不良な印刷画像の用紙にプリントされることがないようにして、不良品が出回らないように防止できるようにしてある。
【００２１】
次に、本発明の実施形態に係る印刷物の品質管理システムの処理手順を、図５に示すフローチャート図に基づいて説明する。
まず、印刷物１を印刷する際に使用する画像デジタルデータのチェックサムを算出する。（ステップ１）
次に、画像デジタルデータのチェックサム値を二次元コード５にして、印刷物１に表示する。（ステップ２）
そして、印刷物１にプリント出力する前段階において、印刷物に表示されている二次元コードからチェックサム値を読み取る。（ステップ３）
【００２２】
次に、印刷物１の印刷画像から画像データを読み取る。（ステップ４）
そして、画像データをデジタルデータに変換した後に、そのデジタルデータのチェックサムを算出する。（ステップ５）
更に、算出したチェックサム値と、二次元コード５から読み取ったチェックサム値とを比較判定する。（ステップ６）
この判定結果において、比較したチェックサム値が一致した場合にだけ、印刷物１にプリント出力する。（ステップ７）
【００２３】
また、この判定結果において、比較したチェックサム値が不一致であった場合には、  プリンタ１０のプリント出力処理を停止すると同時に、印刷物１の搬送も停止させる。（ステップ８）
以上の処理により、印刷物１の印刷画像が不良であった場合には、プリンタ１０のプリント出力がされる前に発見して、不良品が出回ることを防止できるようにしてある。
【図面の簡単な説明】
【００２４】
【図１】本発明の実施形態に係る印刷物の品質管理方法に関し、印刷物に二次元コードを表示させる状態を示す図である。
【図２】本発明の実施形態に係る印刷物の品質管理方法に関し、印刷物にプリント出力する前に印刷画像に対する品質検査を行う状態を示す図である。
【図３】二次元コードプリント装置のシステムブロック図である。
【図４】品質検査装置のシステムブロック図である。
【図５】本発明の実施形態に係る印刷物の品質管理システムに関する処理手順を示すフローチャート図である。
【符号の説明】
【００２５】
１  印刷物
２  切り取り用ミシン
３  印刷画像
４  二次元コードプリント装置
５  二次元コード
６  画像デジタルデータベース
７  チェックサム演算部
８  二次元コードプリント部
９，１９  制御部
１０  プリンタ
１１  二次元コードリーダ
１２  画像リーダ
１３  品質検査装置
１４  デジタルデータ変換部
１５  チェックサム演算部
１６  判定部
１７  プリンタ制御部
１８  記憶部
【図１】
2007044895.tif 000003
【図２】
2007044895.tif 000004
【図３】
2007044895.tif 000005
【図４】
2007044895.tif 000006
【図５】
2007044895.tif 000007